(57)【要約】【課題】  押さえ縫いの縫い目から抜け出す詰め物を２枚の中生地に格納する構成では、中生地が必要であるとともに、２枚の中生地を縫製しなければならず、縫製が煩雑化する。【解決手段】  ナイロン地からなる表生地１２Ｆとメリヤス地などからなる裏生地１２Ｂとの間に、熱可塑性のポリエステルからなり、プリーツ加工によって凹凸形状に成形されたネット素材（メッシュ地）１２Ｍを介在し、表から押さえ縫いして所定の領域にネット素材を封じている。ネット素材１２Ｍが凹凸形状に成形されて表生地１２Ｆを持ち上げているため、膨らみのあるボリューム感が得られる。また、ネット素材１２Ｍが押さえ縫いの縫い目から抜け出すおそれがない。そのため、余分な生地（中生地）は必要とされず、中生地を用いないから中生地の縫製も不要となる。【選択図】  図１
2009197376.tif 000002
【特許請求の範囲】
【請求項１】
表生地と裏生地の間に凹凸形状のネット素材を介在させ、表から押さえ縫いして所定の領域にネット素材を封じた布地。
【請求項２】
表生地と裏生地の間に凹凸形状のネット素材を介在させ、表から押さえ縫いして所定の領域にネット素材を封じた被服。
【発明の詳細な説明】
【技術分野】
【０００１】
本発明は、ボリューム感や季節感などを残しながら通気性を改善した布地及び被服に関する。
【背景技術】
【０００２】
綿やダウン（羽毛）などの保温性に優れた素材をナイロン地などからなる表生地とメリヤス地などからなる裏生地との間の空間に詰めた被服が知られている。この被服では、表から要所を押さえ縫いして所定の領域に細分し、綿やダウンの詰め物を細分化した領域に封じて詰め物がずれて片寄るのを防止しており、キルティング仕様の被服などと称されている。
【０００３】
キルティング仕様の被服として、ダウンジャケット、綿入りジャケット、ダウンコート、綿入りコートなどがあり、これらの被服は、特有のボリューム感を持ち、防寒性、保温性に優れた季節感を感じる被服として好まれている。
【０００４】
しかしながら、綿やダウンなどの詰め物が押さえ縫いの縫い目から抜け出るという問題がある。そのため、重ねた２枚の中生地の間に詰め物を格納する構成が提案されている。
たとえば、特開２００２−１７３８１５号公報には、重ねた２枚の中生地を２本の縫い目で縫製して両端の開口した格納部を形成し、この中生地に表生地を重ね合わせて２本の縫い目の中央で縫製し、次いで中生地の格納部にダウンを格納し、下から裏生地を重ねて生地の周辺部を縫製した被服が記載されている。
【特許文献１】特開２００２−１７３８１５号
【発明の開示】
【発明が解決しようとする課題】
【０００５】
特開２００２−１７３８１５号公報記載の被服では、中生地の縫い目と表地の縫い目とを異なる位置に形成して、押さえ縫いの縫い目からの詰め物の抜け出しを防止している。
しかし、表生地、裏生地に上下２枚の中生地を加えた４層構造となり、２枚の中生地という余分な生地が必要となる。さらに、表生地、裏生地の縫製に加えて２枚の中生地を縫製しなければならず、縫製が煩雑化する。
【０００６】
綿やダウンを詰め物とした被服は、防寒性、保温性に優れ、季節感を感じさせるものとして愛用されているが、最近では地球温暖化の影響から寒い時期が短縮され、防寒、保温の上から着用する必要性が薄れている。しかし、ボリューム感のあるファッションとして根強い人気がある。
【０００７】
本発明は、中生地を用いることなく押さえ縫いの縫い目からの詰め物の抜け出しを防止できる布地の提供を第１の目的としている。
本発明は、中生地を用いることなく押さえ縫いの縫い目からの詰め物の抜け出しを防止できる被服の提供を第２の目的としている。
【課題を解決するための手段】
【０００８】
上記の第１の目的のために、請求項１に係る本発明の布地によれば、表生地と裏生地の間に凹凸形状のネット素材を介在させ、表から押さえ縫いして所定の領域にネット素材を封じている。
また、上記の第２の目的のために、請求項２に係る本発明の被服によれば、表生地と裏生地の間に凹凸形状のネット素材を介在させ、表から押さえ縫いして所定の領域にネット素材を封じている。
【発明の効果】
【０００９】
請求項１に係る本発明では、表生地と裏生地の間に詰め物として介在されたネット素材が凹凸形状であるため、膨らみのあるボリューム感が得られる。
また、表生地、裏生地間のネット素材は通気性を有し、熱の放熱、空気の流入を許容すする構造が得られる。
さらに、詰め物であるネット素材が押さえ縫いの縫い目から抜け出すおそれがないため、余分な生地（中生地）が不要となりエコロジーであるとともに、中生地を用いないから中生地の縫製も不要で縫製が煩雑化しない。
【００１０】
請求項２に係る本発明では、表生地と裏生地の間に詰め物として介在されたネット素材が凹凸形状であるため、膨らみのあるボリューム感が得られる。
また、表生地、裏生地間のネット素材は通気性を有し、熱の放熱、空気の流入を許容する構造であるため、季節感やボリューム感という見た目を残しながらも、見た目ほどの暑さを感じさせない風通しのよい被服が得られる。
さらに、ネット素材が押さえ縫いの縫い目から抜け出すおそれがないため、余分な生地（中生地）が不要となりエコロジーであるとともに、中生地を用いないから中生地の縫製も不要で縫製が煩雑化しない。
【発明を実施するための最良の形態】
【００１１】
ポリエステルからなるネット素材がプリーツ加工などの凹凸加工によって凹凸形状に成形され、ナイロン地からなる表生地とメリヤス地からなる裏生地の間に介在され、表から押さえ縫いして所定の領域にネット素材を封じている。
【実施例】
【００１２】
以下、図面を参照しながら本発明の実施例を詳細に説明する。図１（Ａ）（Ｂ）はこの発明の一実施例に係る被服の正面図および布地の斜視図を示す。また、図２（Ａ）（Ｂ）（Ｃ）は、ネット素材の一部破断の平面図、正面図、左側面図を示す。
【００１３】
図１（Ａ）に示すように、この発明の一実施例に係る被服１０はフード１０ａ付のジャケットとして具体化されており、その布地１２は、図２（Ｂ）に示すように、ナイロン地などからなる表生地１２Ｆと、メリヤス地などからなる裏生地１２Ｂと、それらの間に位置するネット素材（メッシュ地）１２Ｍとを備えて構成されている。
【００１４】
ネット素材１２Ｍは、たとえば熱可塑性のポリエステルなどからなり、上方への膨らみを持つ凹凸形状に成形されている。ここで、ネット素材１２Ｍは上方への膨らみを持つものであれば足り、凹凸形状は上方への膨らみを有するすべての形状を含み、たとえばプリーツ加工などによって凹凸形状に成形される。
【００１５】
プリーツ加工として、マジョリカプリーツ(格子状プリーツ)、サイドプリーツ、ヘリンボンプリーツ、ウェーブプリーツなどが利用され、所定のパターン形状のプリーツがネット素材１２Ｍに施される。また、手加工によるプリーツ(皺プリーツ)によって不定形パターンのプリーツをネット素材１２Ｍに施してもよい。
【００１６】
ネット素材１２Ｍを格子状に緩く縫い、縫い糸の一方に直交する方向にそれぞれ引張ってネット素材を縮め（寄せ）るギャザー加工によっても、ネット素材を凹凸形状に成形できる。
【００１７】
図２（Ａ）（Ｂ）（Ｃ）に示すように、実施例ではネット素材１２Ｍにマジョリカプリーツが施されてネット素材は格子状の膨らみを持つ凹凸形状に成形されている。凹凸形状のネット素材１２Ｍが表生地１２Ｆ、裏生地１２Ｂ間に介在しているため、表生地はネット素材によって持ち上げられ、膨らみのあるボリューム感のあるものが得られる。
【００１８】
図１の参照符号１０ｂは押さえ縫いの縫い目を、図２の参照符号１２Ｍ１は略平坦な畦部分を、１２Ｍ２は畦部分の間の膨らみ部分をそれぞれ示す。
【００１９】
表生地１２Ｆ、凹凸形状のネット素材１２Ｍ、裏生地１２Ｂを所定形状にそれぞれ裁断し、それらを重ねてから、表から要所を押さえ縫いして所定の領域にネット素材を封じた表身頃、裏身頃、両袖、フードなどの必要なパーツが形成される。そして、表身頃、裏身頃、両袖、フードなどのパーツを所定位置に配置してパーツ同士を縫製し、ファスナーなどを取付けてジャケット(被服)１０が作られる。
押さえ縫いによって所定の領域に細分し、細分化した領域にネット素材１２Ｍを封じているため、ネット素材のずれによる片寄りが防止される。
【００２０】
表生地１２Ｆ、ネット素材１２Ｍ、裏生地１２Ｂを所定形状に裁断してから押さえ縫いする代わりに、押さえ縫いして一体化した長尺形状の表生地、ネット素材、裏生地から所定形状のパーツを裁断してもよい。
【００２１】
表生地１２Ｆ、裏生地１２Ｂ間に介在するネット素材１２Ｍが凹凸形状に成形されて表生地を持ち上げているため、膨らみのあるボリューム感に優れたジャケット１０が得られる。
表生地１２Ｆ、裏生地１２Ｂ間のネット素材１２Ｍは通気性を有し、熱の放熱、空気の流入を許容する構造であるため、季節感やボリューム感という見た目を残しながらも、見た目ほどの暑さを感じさせない風通しのよいジャケット１０が得られる。そのため、自然環境の変化による地球温暖化の影響によって寒い時期が短縮されて防寒、保温の上から着用する必要性が薄れても、ボリューム感、季節感のあるファッションとしてジャケット１０が着用できる。
【００２２】
さらに、表生地、裏生地間に介在するネット素材１２Ｍが、押さえ縫いの縫い目から抜け出すおそれがない。そのため、表生地、裏生地だけの２層構造となり、余分な生地（中生地）を必要とせずエコロジーであるとともに、中生地を用いないから中生地の縫製も不要で縫製が煩雑化することもない。
【００２３】
従来のこの種のキルティング仕様の被服における詰め物であるダウン、布などに比較して本発明における詰め物であるネット素材１２Ｍは軽量であるため、本発明の被服１０はボリューム感という見た目の印象よりもはるかに軽いものとなる。
また、詰め物としてダウンを使用した従来の被服では、ダウンに伸縮性がないため、伸縮のある表生地、裏生地に組み合わせても伸縮性のある被服とならないのに対して、ネット素材１２Ｍは伸縮性に富むため、伸縮のある表生地１２Ｆ、裏生地１２Ｂに組み合わせれば、伸縮性に富むものが容易に得られる。
【００２４】
さらに、ダウンは少なからず羽柄を持ち、綿はその厚さを均一化しにくいため、ダウンの羽柄や厚い綿部分に触れたとき、硬さの相違から違和感を持つことがある。これに対して、ネット素材１２Ｍは厚さの不均一を生じ難く、たとえ厚さの相違する部分が存在しても、本質的に柔軟性に富むため、硬さの相違を認識し難く、違和感を持つことはない。
【００２５】
実施例では、被服１０としてジャケットを例示したが、ジャケットに限定されず、表生地、裏生地の間に詰め物をして膨らみのあるボリューム感を確保した種々な被服が本発明の布地１２を縫製して得られる。そして、ダウンジャケット、綿入りジャケット、ダウンコート、綿入りコートなどのダウンや綿を詰め物としたボリューム感のある従来の被服に代えて、ネット素材を詰め物とした本発明の被服が地球温暖化に対応して着用できる。
【００２６】
上述した実施例は、この発明を説明するためのものであり、この発明を何等限定するものでなく、この発明の技術範囲内で変形、改造等の施されたものも全てこの発明に包含されることはいうまでもない。
たとえば、本発明に係る布地は、押さえ縫いして一体化した長尺形状の表生地、ネット素材、裏生地として量産し、販売してもよい。
【産業上の利用可能性】
【００２７】
本発明の被服は、ダウンや綿を詰め物としたボリューム感のある従来の被服の代替品として広範囲に利用できる。
また、本発明の布地も、ダウンや綿を詰め物としたボリューム感のある被服の布地の代替品として広範囲に利用できる。
【図面の簡単な説明】
【００２８】
【図１】（Ａ）（Ｂ）は発明の一実施例に係る被服の正面図および布地の斜視図を示す。
【図２】（Ａ）（Ｂ）（Ｃ）は、ネット素材の一部破断の平面図、正面図、左側面図を示す。
【符号の説明】
【００２９】
１０        ジャケット(被服)
１０ｂ      押さえ縫いの縫い目
１２        布地
１２Ｍ１      畦部
１２Ｍ２      膨らみ部分
【図１】
2009197376.tif 000003
【図２】
2009197376.tif 000004